(57)【要約】【課題】第１巻線と第２巻線との結合度を確保しつつ、コアやボビンの長さや全体としての高さを抑制し、低コスト化および小型化を図ることが可能なトランスを得る。【解決手段】コア１３の第１部分が第２巻線１２に挿通され、第１巻線１１は、この第１部分が第１巻線１１の内側を通り、かつ第２巻線１２の軸線Ｃ１２に対し垂直な上下方向から見たときに第１巻線１１が第２巻線１２を囲む状態で、第２巻線１２およびコア１３に対し配置されている。【選択図】図１
2011171434.tif 000002
【特許請求の範囲】
【請求項１】
互いに電磁結合される第１巻線および第２巻線とコアとを備えたトランスであって、
前記コアの第１部分が前記第２巻線に挿通されており、
前記第１巻線は、前記第１部分が該第１巻線の内側を通り、かつ前記第２巻線の軸線に対し垂直な上下方向から見たときに該第１巻線が該第２巻線を囲む状態で、該第２巻線および前記コアに対し配置されている、ことを特徴とするトランス。
【請求項２】
前記第１巻線は、前記上下方向における前記第２巻線の幅の範囲内に収まる状態で配置されている、ことを特徴とする請求項１記載のトランス。
【請求項３】
前記コアは、複数のコア部からなり、該複数のコア部を組み合わせて全体として外形ロの字型を形成するものである、ことを特徴とする請求項１または２記載のトランス。
【発明の詳細な説明】
【技術分野】
【０００１】
本発明は、例えば、ノートパソコン、液晶テレビ等に使用される各種表示パネルのバックライト用の冷陰極放電ランプ（ＣＣＦＬ）を放電、点灯させるＤＣ／ＡＣインバータ回路で使用されるインバータトランスなどの、各種機器に搭載される供給電圧調整用のトランスに関する。
【背景技術】
【０００２】
従来のトランスの構成としては、例えば、下記特許文献１，２に記載されたものが知られている。
【０００３】
下記特許文献１に記載のトランスは、１次巻線および２次巻線を同軸上において互いに隣接させて配置し、１次巻線および２次巻線にコアを連通させたものであり、下記特許文献２に記載のトランスは、１次巻線および２次巻線を交互に同心の層状に巻回し、その内側にコアを挿通したものである。
【先行技術文献】
【特許文献】
【０００４】
【特許文献１】特開２００２−２５８３６号公報
【特許文献２】特開２００１−６９４７号公報
【発明の概要】
【発明が解決しようとする課題】
【０００５】
上記特許文献１に記載のトランスでは、１次巻線および２次巻線の各巻回領域が軸線方向に長く延びることになるため、必然的に、１次巻線および２次巻線に連通されるコアや巻回領域を形成するボビンが軸線方向に長くなってしまい、コアやボビンの製造コストが嵩むという問題がある。また、軸線方向に長く延びたために、コアに反りが生じ易くなるという問題もある。
【０００６】
一方、上記特許文献２に記載のトランスでは、１次巻線および２次巻線を交互に同心の層状に巻回しているので、必然的に、巻線の巻回径が大となり、これにより、トランスの高さ方向の寸法が大きくなるという問題がある。
【０００７】
また、１次巻線および２次巻線を各々の軸線に対し垂直な方向に並列配置したトランスも知られているが、この場合には、１次巻線と２次巻線とが離れるために磁路長が長くなり、１次巻線と２次巻線との（電磁的な）結合度が低下するという問題が生じる。
【０００８】
本発明はこのような事情に鑑みなされたものであり、第１巻線と第２巻線との結合度を確保しつつ、コアやボビンの長さや全体としての高さを抑制し、低コスト化および小型化を図ることが可能なトランスを提供することを目的とする。
【課題を解決するための手段】
【０００９】
本発明に係るトランスは、互いに電磁結合される第１巻線および第２巻線とコアとを備えたトランスであって、
前記コアの第１部分が前記第２巻線に挿通されており、
前記第１巻線は、前記第１部分が該第１巻線の内側を通り、かつ前記第２巻線の軸線に対し垂直な上下方向から見たときに該第１巻線が該第２巻線を囲む状態で、該第２巻線および前記コアに対し配置されている、ことを特徴とする。
【００１０】
本発明において、前記第１巻線は、前記上下方向における前記第２巻線の幅の範囲内に収まる状態で配置されている、とすることが好ましい。
【００１１】
また、前記コアは、複数のコア部からなり、該複数のコア部を組み合わせて全体として外形ロの字型を形成するものである、とすることができる。
【００１２】
上記「第１巻線」とは、必ずしも１次巻線を意味するものではなく、１次巻線または２次巻線とすることができる。同様に、上記「第２巻線」とは、必ずしも２次巻線を意味するものではなく、第１巻線が１次巻線の場合には２次巻線、第１巻線が２次巻線の場合には１次巻線とすることができる。
【００１３】
上記「外形ロの字型」とは、外縁部分にロの字型の構成を有していることを意味するものであり、通常のロの字型の他に、日の字型や目の字型、田の字型等の形状を含む。
【発明の効果】
【００１４】
本発明に係るトランスにおいては、第２巻線の軸線に対し垂直な上下方向から見たときに第１巻線が第２巻線を囲む状態で配置されていることにより、第１巻線および第２巻線を同軸上において互いに隣接させて配置する場合に比べて、巻線内に挿通されるコアや巻線巻回用のボビンの軸線方向の長さを抑えることが可能となり、かつ第１巻線および第２巻線を同心の層状に巻回する場合に比べて、トランスの高さを抑えることが可能となる。
【００１５】
また、第２巻線に挿通されたコアの第１部分が第１巻線の内側を通るように配置されていることにより、第１巻線と第２巻線とを、コアの第１部分を介して互いに近接した位置に配置することができるので、第１巻線と第２巻線との結合度を十分に確保することができる。
【００１６】
したがって、本発明に係るトランスによれば、第１巻線と第２巻線との結合度を確保しつつ、コアやボビンの長さや全体としての高さを抑制することができ、これにより、低コスト化および小型化を図ることが可能となる。
【図面の簡単な説明】
【００１７】
【図１】第１実施形態に係るトランスの平面図である。
【図２】第１実施形態に係るトランスの正面図である。
【図３】第２実施形態に係るトランスの平面図である。
【図４】第２実施形態に係るトランスの正面図である。
【図５】第２実施形態に係るトランスの斜視図である。
【図６】第２実施形態に係るトランスのボビン・端子台の平面図である。
【図７】第３実施形態に係るトランスの平面図である。
【図８】第３実施形態に係るトランスの正面図である。
【図９】第３実施形態に係るトランスのボビン・端子台の平面図である。
【図１０】第４実施形態に係るトランスの平面図である。
【図１１】第４実施形態に係るトランスの正面図である。
【発明を実施するための形態】
【００１８】
以下、本発明に係るトランスの実施形態について、上記各図面を参照しつつ詳細に説明する。なお、各図には、方向を示すための３次元直交座標系を図示してある。
【００１９】
〈第１実施形態〉
第１実施形態の説明では、図１，２に示す３次元直交座標系のＸ１軸の方向を左右方向（矢線の向きが右）、Ｙ１軸の方向を前後方向（矢線の向きが後）、Ｚ１軸の方向を上下方向（矢線の向きが上）と称する。
【００２０】
第１実施形態に係るトランス１０は、図１，２に示すように、互いに電磁結合される第１巻線１１および第２巻線１２と、コア１３とを備えてなる。
【００２１】
コア１３は、磁性材料、例えば、フェライト（その他に、パーマロイやセンダスト等の材料や、これらの微粉末を圧縮成型したダストコアを使用することも可能）により形成された、２つのコア部（第１のＣ型コア部１４と第２のＣ型コア部１５）を組み合わせてなり、全体として外形ロの字型（一般的なロの字型）を形成するように構成されている。
【００２２】
また、この第１実施形態では、第１のＣ型コア部１４の脚部１４ａと第２のＣ型コア部１５の脚部１５ａとにより、コア１３の第１部分が構成されており、この第１部分が第２巻線１２に挿通されている。具体的には、この第１部分に対し第２巻線１２が直に巻回されているが、第２巻線１２の内側に中空の巻回部材（ボビン）を配置し、この巻回部材の外周面に第２巻線１２を巻回するとともに、巻回部材の中空部分にコア１３の第１部分を挿通するようにしてもよい。
【００２３】
第１巻線１１は、上記第１部分が該第１巻線１１の内側を通り、かつ第２巻線１２の軸線Ｃ１２（左右方向に延びる。図１参照）に対し垂直な上下方向から見たときに第１巻線１１が第２巻線１２を囲む状態で（第１巻線１１と第２巻線１２とは互いに非接触）、第２巻線１２およびコア１３に対し配置されている。なお、この第１実施形態では、第１巻線１１は空芯コイルとされているが、第１巻線１１の内側に中空の巻回部材（ボビン）を配置し、この巻回部材の外周面に第１巻線１１を巻回するようにしてもよい。
【００２４】
また、図２に示すように、トランス１０を前後方向から見ると分かるように、第１巻線１１は、上下方向における第２巻線１２の幅Ｈ１２の範囲内に収まる状態（第１巻線１１の上下方向の幅Ｈ１１（第１巻線１１の上端１１ａと下端１１ｂとの間の上下方向の距離）が第２巻線１２の幅Ｈ１２の範囲に収まる状態）で配置されている。
【００２５】
なお、この第１実施形態では、第１巻線１１を１次巻線、第２巻線１２を２次巻線としてもよく、それとは逆に第１巻線１１を２次巻線、第２巻線１２を１次巻線としてもよい。
【００２６】
この第１実施形態のトランス１０では、第２巻線１２の軸線Ｃ１２に対し垂直な上下方向から見たときに第１巻線１１が第２巻線１２を囲む状態で配置されていることにより、第１巻線１１および第２巻線１２を軸線Ｃ１２上において互いに隣接させて配置する場合に比べて、巻線内に挿通されるコア１３の左右方向の長さを抑えることが可能となり、かつ第１巻線１１および第２巻線１２を同心の層状に巻回する場合に比べて、トランス１０の高さを抑えることが可能となる。特に、第１巻線１１を第２巻線１２の幅Ｈ１２の範囲内に収まる状態で配置したことにより、第１巻線１１が第２巻線１２の幅Ｈ１２の範囲を超える状態で配置された場合に比べて、トランス１０の更なる低背化が可能となっている。
【００２７】
また、第２巻線１２に挿通されたコア１３の第１部分が第１巻線１１の内側を通るように配置されていることにより、第１巻線１１と第２巻線１２とを、コア１３の第１部分を介して互いに近接した位置に配置することができるので、第１巻線１１と第２巻線１２との結合度も十分に確保することができる。
【００２８】
〈第２実施形態〉
第２実施形態の説明では、図３〜６に示す３次元直交座標系のＸ２軸の方向を左右方向（矢線の向きが右）、Ｙ２軸の方向を前後方向（矢線の向きが後）、Ｚ２軸の方向を上下方向（矢線の向きが上）と称する。
【００２９】
第２実施形態に係るトランス２０は、図３〜５に示すように、互いに電磁結合される第１巻線２１および第２巻線２２と、コア２３と、プラスチック等の絶縁材料で形成されたボビン・端子台５０とを備えてなる。
【００３０】
コア２３は、第１実施形態のコア１３と同様に、フェライト等の磁性材料により形成された、２つのコア部（第１のＣ型コア部２４と第２のＣ型コア部２５）を組み合わせてなり、全体として外形ロの字型（一般的なロの字型）を形成するように構成されている。
【００３１】
ボビン・端子台５０は、図６に示すように、左右方向に貫通する中空部５１ａを有するボビン５１と、該ボビン５１の左右両端にそれぞれに配置された第１の端子台５２Ａおよび第２の端子台５２Ｂとが互いに一体に形成されてなる。ボビン５１は、その左右両端にそれぞれ配されたエンド鍔５３Ａ，５３Ｂと、該一対のエンド鍔５３Ａ，５３Ｂの間に配された複数（本実施形態では５枚）の仕切り鍔５４Ａ〜５４Ｅを有しており、各仕切り鍔５４Ａ〜５４Ｅによって複数（本実施形態では６つ）のセクションに区分された巻回領域に、第２巻線２２が巻回されるようになっている（図３参照）。
【００３２】
また、第１の端子台５２Ａには、絡げ部５５Ａａを有する端子５５Ａが保持されており、第２の端子台５２Ｂには、絡げ部５５Ｂａを有する端子５５Ｂと他の３個の端子５５Ｃ〜５５Ｅが保持されている。
【００３３】
この第２実施形態では、第１のＣ型コア部２４の脚部２４ａと第２のＣ型コア部２５の脚部２５ａとにより（図３参照）、コア２３の第１部分が構成されており、この第１部分が第２巻線２２に挿通されている。具体的には、コア２３の第１部分は、第２巻線２２が巻回されたボビン５１の中空部５１ａに挿通されている。その際、この第２実施形態では、第２巻線２２の軸線Ｃ２２（左右方向に延びる）に対してコア２３の第１部分が、左右方向に所定角度傾斜した状態で配置されているが（図４参照）、コア２３の第１部分を軸線Ｃ２２に対して平行となるように配置するようにしてもよい。
【００３４】
第１巻線２１は、上記第１部分が該第１巻線２１の内側を通り、かつ第２巻線２２の軸線Ｃ２２に対し垂直な上下方向から見たときに第１巻線２１が第２巻線２２を囲む状態で、第２巻線２２およびコア２３に対し配置されている（図３参照）。なお、この第２実施形態においても、第１巻線２１は空芯コイルとされているが、第１巻線２１の内側に中空の巻回部材（ボビン５１とは別のボビン）を配置し、この巻回部材の外周面に第１巻線２１を巻回するようにしてもよい。
【００３５】
また、図４に示すように、トランス２０を前後方向から見ると分かるように、第１巻線２１は、上下方向における第２巻線２２の幅Ｈ２２の範囲内に収まる状態（第１巻線２１の上下方向の幅Ｈ２１（第１巻線２１の上端２１ａと下端２１ｂとの間の上下方向の距離）が第２巻線２２の幅Ｈ２２の範囲に収まる状態）で配置されている。
【００３６】
なお、この第２実施形態では、第１巻線２１を１次巻線、第２巻線２２を２次巻線としてもよく、それとは逆に第１巻線２１を２次巻線、第２巻線２２を１次巻線としてもよい。
【００３７】
この第２実施形態のトランス２０では、第２巻線２２の軸線Ｃ２２に対し垂直な上下方向から見たときに第１巻線２１が第２巻線２２を囲む状態で配置されていることにより、第１巻線２１および第２巻線２２を軸線Ｃ２２上において互いに隣接させて配置する場合に比べて、コア２３の左右方向の長さを抑えることが可能となり、かつ第１巻線２１および第２巻線２２を同心の層状に巻回する場合に比べて、トランス２０の高さを抑えることが可能となる。特に、第１巻線２１を第２巻線２２の幅Ｈ２２の範囲内に収まる状態で配置したことにより、第１巻線２１が第２巻線２２の幅Ｈ２２の範囲を超える状態で配置された場合に比べて、トランス２０の更なる低背化が可能となっている。
【００３８】
また、第２巻線２２に挿通されたコア２３の第１部分が第１巻線２１の内側を通るように配置されていることにより、第１巻線２１と第２巻線２２とを、コア２３の第１部分を介して互いに近接した位置に配置することができるので、第１巻線２１と第２巻線２２との結合度も十分に確保することができる。
【００３９】
〈第３実施形態〉
第３実施形態の説明では、図７〜９に示す３次元直交座標系のＸ３軸の方向を左右方向（矢線の向きが右）、Ｙ３軸の方向を前後方向（矢線の向きが後）、Ｚ３軸の方向を上下方向（矢線の向きが上）と称する。
【００４０】
第３実施形態に係るトランス３０は、１つの１次巻線に対し２つの２次巻線が電磁結合されるように構成されたダブルトランスであり、図７，８に示すように、１次巻線として構成された第１巻線３１と、この第１巻線３１に対し電磁結合される、２次巻線として構成された第１の第２巻線３２Ａおよび第２の第２巻線３２Ｂと、コア３３と、プラスチック等の絶縁材料で形成されたボビン・端子台６０とを備えてなる。
【００４１】
コア３３は、第１実施形態のコア１３と同様に、フェライト等の磁性材料により形成された、２つのコア部（第１のＣ型コア部３４と第２のＣ型コア部３５）を組み合わせてなり、全体として外形ロの字型（一般的なロの字型）を形成するように構成されている。
【００４２】
ボビン・端子台６０は、図９に示すように、左右方向に貫通する中空部６１Ａａを有する第１のボビン６１Ａと、同じく左右方向に貫通する中空部６１Ｂａを有する第２のボビン６１Ｂと、第１のボビン６１Ａの左端に配置された第１の端子台６２Ａと、第２のボビン６１Ｂの右端に配置された第２の端子台６２Ｂと、第１のボビン６１Ａおよび第２のボビン６１Ｂの間に配置された第３の端子台６２Ｃとが互いに一体に形成されてなる。
【００４３】
第１のボビン６１Ａは、その左右両端にそれぞれ配されたエンド鍔６３Ａ，６３Ｂと、該一対のエンド鍔６３Ａ，６３Ｂの間に配された複数（本実施形態では５枚）の仕切り鍔６４Ａ〜６４Ｅを有しており、各仕切り鍔６４Ａ〜６４Ｅによって複数（本実施形態では６つ）のセクションに区分された巻回領域に、第１の第２巻線３２Ａが巻回されるようになっている（図７参照）。
【００４４】
同様に、第２のボビン６１Ｂは、その左右両端にそれぞれ配されたエンド鍔６５Ａ，６５Ｂと、該一対のエンド鍔６５Ａ，６５Ｂの間に配された複数（本実施形態では５枚）の仕切り鍔６６Ａ〜６６Ｅを有しており、各仕切り鍔６６Ａ〜６６Ｅによって複数（本実施形態では６つ）のセクションに区分された巻回領域に、第２の第２巻線３２Ｂが巻回されるようになっている（図７参照）。
【００４５】
また、第１の端子台６２Ａには、絡げ部６７Ａａを有する端子６７Ａが保持されており、第２の端子台６２Ｂには、絡げ部６７Ｂａを有する端子６７Ｂと他の２個の端子６７Ｃ，６７Ｄが保持されている。同様に、第３の端子台６２Ｃには、絡げ部６７Ｅａを有する端子６７Ｅと、同じく絡げ部６７Ｆａを有する端子６７Ｆとが保持されている。
【００４６】
この第３実施形態では、第１のＣ型コア部３４の脚部３４ａと第２のＣ型コア部３５の脚部３５ａとにより（図７参照）、コア３３の第１部分が構成されており、この第１部分が第１の第２巻線３２Ａおよび第２の第２巻線３２Ｂに挿通されている。具体的には、第１のＣ型コア部３４の脚部３４ａが、第１の第２巻線３２Ａを巻回した第１のボビン６１Ａの中空部６１Ａａに挿通されており、第２のＣ型コア部３５の脚部３５ａが、第２の第２巻線３２Ｂを巻回した第２のボビン６１Ｂの中空部６１Ｂａに挿通されている。その際、この第３実施形態では、第１の第２巻線３２Ａおよび第２の第２巻線３２Ｂの共通の軸線Ｃ３２（左右方向に延びる）に対してコア３３の第１部分が、左右方向に所定角度傾斜した状態で配置されているが（図８参照）、コア３３の第１部分を軸線Ｃ３２に対して平行となるように配置してもよい。
【００４７】
第１巻線３１は、上記第１部分が第１巻線３１の内側を通り、かつ第１の第２巻線３２Ａおよび第２の第２巻線３２Ｂの共通の軸線Ｃ３２に対し垂直な上下方向から見たときに第１巻線３１が第１の第２巻線３２Ａおよび第２の第２巻線３２Ｂを囲む状態で、第１の第２巻線３２Ａ、第２の第２巻線３２Ｂおよびコア３３に対し配置されている（図７参照）。なお、この第３実施形態においても、第１巻線３１は空芯コイルとされているが、第１巻線３１の内側に中空の巻回部材（第１のボビン６１Ａおよび第２のボビン６１Ｂとは別のボビン）を配置し、この巻回部材の外周面に第１巻線３１を巻回してもよい。
【００４８】
また、図８に示すように、トランス３０を前後方向から見ると分かるように、第１巻線３１は、上下方向における第１の第２巻線３２Ａおよび第２の第２巻線３２Ｂの幅Ｈ３２の範囲内に収まる状態（第１巻線３１の上下方向の幅Ｈ３１（第１巻線３１の上端３１ａと下端３１ｂとの間の上下方向の距離）が第１の第２巻線３２Ａおよび第２の第２巻線３２Ｂの幅Ｈ３２の範囲に収まる状態）で配置されている。
【００４９】
この第３実施形態のトランス３０では、第１の第２巻線３２Ａおよび第２の第２巻線３２Ｂの共通の軸線Ｃ３２に対し垂直な上下方向から見たときに第１巻線３１が第１の第２巻線３２Ａおよび第２の第２巻線３２Ｂを囲む状態で配置されていることにより、第１巻線３１と第１の第２巻線３２Ａおよび第２の第２巻線３２Ｂとを軸線Ｃ３２上において互いに隣接させて配置する場合に比べて、コア３３の左右方向の長さを抑えることが可能となり、かつ第１巻線３１と第１の第２巻線３２Ａおよび第２の第２巻線３２Ｂとを同心の層状に巻回する場合に比べて、トランス３０の高さを抑えることが可能となる。特に、第１巻線３１を第１の第２巻線３２Ａおよび第２の第２巻線３２Ｂの幅Ｈ３２の範囲内に収まる状態で配置したことにより、第１巻線３１が第１の第２巻線３２Ａおよび第２の第２巻線３２Ｂの幅Ｈ３２の範囲を超える状態で配置された場合に比べて、トランス３０の更なる低背化が可能となっている。
【００５０】
また、第１の第２巻線３２Ａおよび第２の第２巻線３２Ｂに挿通されたコア３３の第１部分が第１巻線３１の内側を通るように配置されていることにより、第１巻線３１と第１の第２巻線３２Ａおよび第２の第２巻線３２Ｂとを、コア３３の第１部分を介して互いに近接した位置に配置することができるので、第１巻線３１と第１の第２巻線３２Ａおよび第２の第２巻線３２Ｂとの結合度も十分に確保することができる。
【００５１】
〈第４実施形態〉
第４実施形態の説明では、図１０，１１に示す３次元直交座標系のＸ４軸の方向を左右方向（矢線の向きが右）、Ｙ４軸の方向を前後方向（矢線の向きが後）、Ｚ４軸の方向を上下方向（矢線の向きが上）と称する。
【００５２】
第４実施形態に係るトランス４０は、第３実施形態に係るトランス３０と同様に、１つの１次巻線に対し２つの２次巻線が電磁結合されるように構成されたダブルトランスであり、図１０，１１に示すように、１次巻線として構成された第１巻線４１と、この第１巻線４１に対し電磁結合される、２次巻線として構成された第１の第２巻線４２Ａおよび第２の第２巻線４２Ｂと、コア４３と、プラスチック等の絶縁材料で形成されたボビン・端子台６０とを備えてなる。
【００５３】
コア４３は、フェライト等の磁性材料により形成された、２つのコア部（第１のＥ型コア部４４と第２のＥ型コア部４５）を組み合わせてなり、全体として外形ロの字型（一般的な日の字型）を形成するように構成されている。なお、ボビン・端子台６０は、第３実施形態に係るトランス３０に用いられたものと同じものであり、その詳細な説明は省略する。
【００５４】
この第４実施形態では、第１のＥ型コア部４４の中脚部４４ａと第２のＥ型コア部４５の中脚部４５ａとにより（図１０参照）、コア４３の第１部分が構成されており、この第１部分が第１の第２巻線４２Ａおよび第２の第２巻線４２Ｂに挿通されている。具体的には、第１のＥ型コア部４４の中脚部４４ａが、第１の第２巻線４２Ａを巻回した第１のボビン６１Ａの中空部６１Ａａに挿通されており、第２のＥ型コア部４５の中脚部４５ａが、第２の第２巻線４２Ａを巻回した第２のボビン６１Ｂの中空部６１Ｂａに挿通されている（中空部６１Ａａ，６１Ｂａについては図９参照）。その際、この第４実施形態では、第１の第２巻線４２Ａおよび第２の第２巻線４２Ｂの共通の軸線Ｃ４２（左右方向に延びる）に対してコア４３の第１部分が平行となるように配置されているが（図１１参照）、コア４３の第１部分を軸線Ｃ４２に対して左右方向に所定角度傾斜した状態で配置してもよい。
【００５５】
第１巻線４１は、上記第１部分が該第１巻線４１の内側を通り、かつ第１の第２巻線４２Ａおよび第２の第２巻線４２Ｂの共通の軸線Ｃ４２に対し垂直な上下方向から見たときに第１巻線４１が第１の第２巻線４２Ａおよび第２の第２巻線４２Ｂを囲む状態で、第１の第２巻線４２Ａおよび第２の第２巻線４２Ｂおよびコア４３に対し配置されている。
【００５６】
また、この第１巻線４１は、図１１に示すように、トランス４０を前後方向から見ると分かるように、第１巻線４１の左半部（図中左側半分の部分）がコア４３の上側に位置するとともに、第１巻線４１の右半部（図中右側半分の部分）がコア４３の下側に位置し、かつ第１巻線４１の中央部がこれら左半部と右半部を繋ぐように上下方向に延びており、全体としてクランク状に屈曲した形状をなしている。
【００５７】
さらに、図１１に示すように、第１巻線４１は、上下方向における第１の第２巻線４２Ａおよび第２の第２巻線４２Ｂの幅Ｈ４２の範囲内に収まる状態（第１巻線４１の上下方向の幅Ｈ４１（第１巻線４１の上端４１ａと下端４１ｂとの間の上下方向の距離）が第１の第２巻線４２Ａおよび第２の第２巻線４２Ｂの幅Ｈ４２の範囲に収まる状態）で配置されている。
【００５８】
なお、この第４実施形態においても、第１巻線４１は空芯コイルとされているが、第１巻線４１の内側に中空の巻回部材（第１のボビン６１Ａおよび第２のボビン６１Ｂとは別のボビン）を配置し、この巻回部材の外周面に第１巻線４１を巻回してもよい。
【００５９】
この第４実施形態のトランス４０では、第１の第２巻線４２Ａおよび第２の第２巻線４２Ｂの共通の軸線Ｃ４２に対し垂直な上下方向から見たときに第１巻線４１が第１の第２巻線４２Ａおよび第２の第２巻線４２Ｂを囲む状態で配置されていることにより、第１巻線４１と第１の第２巻線４２Ａおよび第２の第２巻線４２Ｂとを軸線Ｃ４２上において互いに隣接させて配置する場合に比べて、コア４３の左右方向の長さを抑えることが可能となり、かつ第１巻線４１と第１の第２巻線４２Ａおよび第２の第２巻線４２Ｂとを同心の層状に巻回する場合に比べて、トランス４０の高さを抑えることが可能となる。特に、第１巻線４１を第１の第２巻線４２Ａおよび第２の第２巻線４２Ｂの幅Ｈ４２の範囲内に収まる状態で配置したことにより、第１巻線４１が第１の第２巻線４２Ａおよび第２の第２巻線４２Ｂの幅Ｈ４２の範囲を超える状態で配置された場合に比べて、トランス４０の更なる低背化が可能となっている。
【００６０】
また、第１の第２巻線４２Ａおよび第２の第２巻線４２Ｂに挿通されたコア４３の第１部分が第１巻線４１の内側を通るように配置されていることにより、第１巻線４１と第１の第２巻線４２Ａおよび第２の第２巻線４２Ｂとを、コア４３の第１部分を介して互いに近接した位置に配置することができるので、第１巻線４１と第１の第２巻線４２Ａおよび第２の第２巻線４２Ｂとの結合度も十分に確保することができる。
【符号の説明】
【００６１】
１０，２０，３０，４０      トランス
１１，２１，３１，４１      第１巻線
１１ａ，２１ａ，３１ａ，４１ａ      （第１巻線の）上端
１１ｂ，２１ｂ，３１ｂ，４１ｂ      （第１巻線の）下端
１２，２２      第２巻線
１３，２３，３３，４３      コア
１４，２４，３４      第１のＣ型コア部
１５，２５，３５      第２のＣ型コア部
１４ａ，１５ａ，２４ａ，２５ａ，３４ａ，３５ａ      脚部
３２Ａ，４２Ａ      第１の第２巻線
３２Ｂ，４２Ｂ      第２の第２巻線
４４      第１のＥ型コア部
４５      第２のＥ型コア部
４４ａ，４５ａ      中脚部
５０，６０      ボビン・端子台
５１      ボビン
５１ａ，６１Ａａ，６１Ｂａ      中空部
５２Ａ，６２Ａ      第１の端子台
５２Ｂ，６２Ｂ      第２の端子台
６２Ｃ      第３の端子台
５３Ａ，５３Ｂ，６３Ａ，６３Ｂ，６５Ａ，６５Ｂ      エンド鍔
５４Ａ〜５４Ｅ，６４Ａ〜６４Ｅ，６６Ａ〜６６Ｅ      仕切り鍔
５５Ａ〜５５Ｅ，６７Ａ〜６７Ｆ      端子
５５Ａａ，５５Ｂｂ，６７Ａａ，６７Ｂａ，６７Ｅａ      絡げ部
６１Ａ      第１のボビン
６１Ｂ      第２のボビン
Ｃ１２，Ｃ２２，Ｃ３２，Ｃ４２      軸線
【図１】
2011171434.tif 000003
【図２】
2011171434.tif 000004
【図３】
2011171434.tif 000005
【図４】
2011171434.tif 000006
【図５】
2011171434.tif 000007
【図６】
2011171434.tif 000008
【図７】
2011171434.tif 000009
【図８】
2011171434.tif 000010
【図９】
2011171434.tif 000011
【図１０】
2011171434.tif 000012
【図１１】
2011171434.tif 000013